(57)【要約】【課題】紙製容器のリサイクルの効率を向上させ、紙製容器の回収後の分別も容易に行える紙製容器リサイクルシステムを提供すること。【解決手段】上記課題を達成する本発明は、紙製容器のリサイクルの回収率を向上させるためにネットワークに接続された携帯電話、管理サーバ、及び回収装置を備える紙製容器リサイクルシステムであって、携帯電話は紙製容器の内側に設けられている２次元コードを読み取り解析して送信し、回収装置は紙製容器の内側に設けられている２次元コードを読み取り解析し送信し、これらを管理サーバは受信し、登録し、ポイントを追加する紙製容器リサイクルシステムである。【選択図】図２
2008242943.tif 000002
【特許請求の範囲】
【請求項１】
紙製容器のリサイクルの回収率を向上させるためにネットワークに接続された携帯電話、管理サーバ、及び回収装置を備える紙製容器リサイクルシステムであって、
前記携帯電話は、
紙製容器の内側に設けられている２次元コードを読み取る第一読み取り手段と、
前記第一読み取り手段により読み取られた２次元コードに変換されている識別情報を解析する第一解析手段と、
前記ネットワークを介して前記管理サーバに接続して、前記第一解析手段により解析して得た識別情報及び前記紙製容器のリサイクルを行う個人を特定する個人特定情報を前記管理サーバに送信する第一送信手段とを具備し、
前記回収装置は、
紙製容器の内側に設けられている２次元コードを読み取る第二読み取り手段と、
前記第二読み取り手段により読み取られた２次元コードに変換されている識別情報を解析する第二解析手段と、
前記ネットワークを介して前記管理サーバに接続して、前記第二解析手段により解析して得た識別情報を前記管理サーバに送信する第二送信手段とを具備し、
前記管理サーバは、
前記携帯電話の第一送信手段から送信された前記識別番号及び前記個人特定情報を受信する第一受信手段と、
前期第一受信手段で受信した前記個人特定情報が個人データベースに記憶されているかを確認し、記憶されている場合、前期第一受信手段で受信した前記識別番号を前記個人特定情報と組にして前記個人データベースに記憶に記憶する第一情報記憶手段と、
前記回収装置から送信される前記識別番号を受信する第二受信手段と、
前記第二受信手段で受信した前記識別番号が前記個人データベースに記憶されているかを確認し、記憶されている場合、前記個人データベースに前記識別番号と組にして記憶された前記個人特定情報で特定される個人にポイントを追加する第一ポイント追加手段とを具備していることを特徴とする紙製容器リサイクルシステム。
【請求項２】
紙製容器のリサイクルの回収率を向上させるためにネットワークに接続された携帯電話、管理サーバ、及び回収装置を備える紙製容器リサイクルシステムであって、
前記携帯電話は、
紙製容器の内側に設けられている２次元コードを読み取る第一読み取り手段と、
前記第一読み取り手段により読み取られた２次元コードに変換されている識別情報を解析する第一解析手段と、
前記ネットワークを介して前記管理サーバに接続して、前記第一解析手段により解析して得た識別情報及び前記紙製容器のリサイクルを行う個人を特定する個人特定情報を前記管理サーバに送信する第一送信手段とを具備し、
回収装置は、
紙製容器の内側に設けられている２次元コードを読み取る第二読み取り手段と、
前記第二読み取り手段により読み取られた２次元コードに変換されている識別情報を解析する第二解析手段と、
リサイクルを行う個人を特定する個人特定情報を記憶している個人情報記憶媒体から前記個人特定情報を読み取る第三読み取り手段と、
前記ネットワークを介して前記管理サーバに接続して、前記第二解析手段により解析した識別情報及び第三読み取り手段により読み取られた前記個人特定情報を管理サーバに送信する第三送信手段とを具備し、
前記管理サーバは、
前記携帯電話の第一送信手段から送信された前記識別番号及び前記個人特定情報を受信する第一受信手段と、
前期第一受信手段で受信した前記個人特定情報が個人データベースに記憶されているかを確認し、記憶されている場合、前期第一受信手段で受信した前記識別番号を前記個人特定情報と組にして前記個人データベースに記憶に記憶する第一情報記憶手段と、
前記回収装置から送信される前記識別番号及び前記個人特定情報を受信する第三受信手段と、
前記第三受信手段で受信した前記識別番号が及び前記個人特定情報が組で前記個人データベースに記憶されているかを確認し、記憶されている場合にのみ前記個人データベースに記憶された前記個人特定情報で特定された個人にポイントを追加する第二ポイント追加手段とを具備していることを特徴とする紙製容器リサイクルシステム。
【請求項３】
紙製容器に設けられている２次元コードがシリアルナンバーであることを特徴とした請求項１又は請求項２記載の紙製容器リサイクルシステム。
【請求項４】
前記２次元コードがＱＲコード（登録商標）であることを特徴とした請求項１ないし請求項３のいずれか１項に記載の紙製容器リサイクルシステム。
【請求項５】
前記管理サーバは、携帯電話および／または回収装置に個人情報データベースに記憶されている少なくともポイントを送信できる第四送信手段を具備していることを特徴とする請求項１ないし請求項４のいずれか１項記載の紙製容器リサイクルシステム。
【請求項６】
前記回収装置は、管理サーバから送信された情報を元にして個人情報記憶媒体に記憶されている情報を書き換える情報書き換え手段を具備していることを特徴とする請求項１ないし請求項５のいずれか１項記載の紙製容器リサイクルシステム。
【請求項７】
前記回収装置は、前記解析された識別情報から紙製容器の基材情報を確認する紙製容器基材情報確認手段と、
前記紙製容器基材情報確認手段により確認された基材情報に従って前記紙製容器の分別を行う分別手段とを具備していることを特徴とする請求項１ないし請求項６のいずれか１項に記載の紙製容器リサイクルシステム。
【発明の詳細な説明】
【技術分野】
【０００１】
本発明は、紙製容器のリサイクル効率を上げるために、紙製容器をリサイクルするとポイントを付与するようなキャンペーンを行えるような紙製容器リサイクルシステムに関する。
【背景技術】
【０００２】
従来から紙製容器をリサイクルするためのリサイクルシステムが構築されて、実行されている（図１参照）。
【０００３】
また、容器自体に２次元コードを設け、この２次元コードを用いてネットワークを介して情報を入手してゴミの収集を効率よく行えるシステムも存在していた（例えば特許文献１参照）。
【特許文献１】特開２００６−２２５０９５号公報
【発明の開示】
【発明が解決しようとする課題】
【０００４】
しかしながら、紙製容器のリサイクルシステムは構築されて実行されていたが、紙製容器を購入し、紙製容器を廃棄する消費者にとって地球環境を悪化させないための紙製容器の再資源化ということは分かっていても、手間ばかりかかって利益のないものであるというシステムしか構築されて実行されていなかった。そのため、消費者の参加率を向上及び紙製容器の回収率の向上をさせることができなかった。
【０００５】
また、従来のシステムは紙製容器の販売メーカ、紙製容器を販売する小売（流通）、さらに紙製容器を回収する小売（流通）、自治体にもメリットのない負担のかかるばかりのリサイクルシステムであり、積極的にリサイクルシステムを展開することができなかった。
【０００６】
また、紙製容器と紙を基材とする容器であっても、その基材は紙製容器に充填される内容部により紙と樹脂のみ、紙とアルミ箔と樹脂等と基材の層構成が異なっており、樹脂の種類も異なっていることが多い。そのため、リサイクルシステムで紙製容器を回収できたとしても、回収後に分別する必要が生じ手間がかったり、十分に分別できずにリサイクルできずに廃棄、焼却する場合が多かった。
【０００７】
本発明は上記問題を解決するものであり、紙製容器のリサイクルの効率を向上させ、紙製容器の回収後の分別も容易に行える紙製容器リサイクルシステムを提供することを課題とする。
【課題を解決するための手段】
【０００８】
上記課題を達成するために、まず請求項１の発明では、
紙製容器のリサイクルの回収率を向上させるためにネットワークに接続された携帯電話、管理サーバ、及び回収装置を備える紙製容器リサイクルシステムであって、
前記携帯電話は、
紙製容器の内側に設けられている２次元コードを読み取る第一読み取り手段と、
前記第一読み取り手段により読み取られた２次元コードに変換されている識別情報を解析する第一解析手段と、
前記ネットワークを介して前記管理サーバに接続して、前記第一解析手段により解析して
得た識別情報及び前記紙製容器のリサイクルを行う個人を特定する個人特定情報を前記管理サーバに送信する第一送信手段とを具備し、
前記回収装置は、
紙製容器の内側に設けられている２次元コードを読み取る第二読み取り手段と、
前記第二読み取り手段により読み取られた２次元コードに変換されている識別情報を解析する第二解析手段と、
前記ネットワークを介して前記管理サーバに接続して、前記第二解析手段により解析して得た識別情報を前記管理サーバに送信する第二送信手段とを具備し、
前記管理サーバは、
前記携帯電話の第一送信手段から送信された前記識別番号及び前記個人特定情報を受信する第一受信手段と、
前期第一受信手段で受信した前記個人特定情報が個人データベースに記憶されているかを確認し、記憶されている場合、前期第一受信手段で受信した前記識別番号を前記個人特定情報と組にして前記個人データベースに記憶に記憶する第一情報記憶手段と、
前記回収装置から送信される前記識別番号を受信する第二受信手段と、
前記第二受信手段で受信した前記識別番号が前記個人データベースに記憶されているかを確認し、記憶されている場合、前記個人データベースに前記識別番号と組にして記憶された前記個人特定情報で特定される個人にポイントを追加する第一ポイント追加手段とを具備していることを特徴とする紙製容器リサイクルシステムとしたものである。
【０００９】
また請求項２の発明では、
紙製容器のリサイクルの回収率を向上させるためにネットワークに接続された携帯電話、管理サーバ、及び回収装置を備える紙製容器リサイクルシステムであって、
前記携帯電話は、
紙製容器の内側に設けられている２次元コードを読み取る第一読み取り手段と、
前記第一読み取り手段により読み取られた２次元コードに変換されている識別情報を解析する第一解析手段と、
前記ネットワークを介して前記管理サーバに接続して、前記第一解析手段により解析して得た識別情報及び前記紙製容器のリサイクルを行う個人を特定する個人特定情報を前記管理サーバに送信する第一送信手段とを具備し、
回収装置は、
紙製容器の内側に設けられている２次元コードを読み取る第二読み取り手段と、
前記第二読み取り手段により読み取られた２次元コードに変換されている識別情報を解析する第二解析手段と、
リサイクルを行う個人を特定する個人特定情報を記憶している個人情報記憶媒体から前記個人特定情報を読み取る第三読み取り手段と、
前記ネットワークを介して前記管理サーバに接続して、前記第二解析手段により解析した識別情報及び第三読み取り手段により読み取られた前記個人特定情報を管理サーバに送信する第三送信手段とを具備し、
前記管理サーバは、
前記携帯電話の第一送信手段から送信された前記識別番号及び前記個人特定情報を受信する第一受信手段と、
前期第一受信手段で受信した前記個人特定情報が個人データベースに記憶されているかを確認し、記憶されている場合、前期第一受信手段で受信した前記識別番号を前記個人特定情報と組にして前記個人データベースに記憶に記憶する第一情報記憶手段と、
前記回収装置から送信される前記識別番号及び前記個人特定情報を受信する第三受信手段と、
前記第三受信手段で受信した前記識別番号が及び前記個人特定情報が組で前記個人データベースに記憶されているかを確認し、記憶されている場合にのみ前記個人データベースに記憶された前記個人特定情報で特定された個人にポイントを追加する第二ポイント追加手
段とを具備していることを特徴とする紙製容器リサイクルシステムとしたものである。
【００１０】
また請求項３の発明では、
紙製容器に設けられている２次元コードがシリアルナンバーであることを特徴とした請求項１又は請求項２記載の紙製容器リサイクルシステムとしたものである。
【００１１】
また請求項４の発明では、
前記２次元コードがＱＲコード（登録商標）であることを特徴とした請求項１ないし請求項３のいずれか１項に記載の紙製容器リサイクルシステムとしたものである。
【００１２】
また請求項５の発明では、
前記管理サーバは、携帯電話および／または回収装置に個人情報データベースに記憶されている少なくともポイントを送信できる第四送信手段を具備していることを特徴とする請求項１ないし請求項４のいずれか１項記載の紙製容器リサイクルシステムとしたものである。
【００１３】
また請求項６の発明では、
前記回収装置は、管理サーバから送信された情報を元にして個人情報記憶媒体に記憶されている情報を書き換える情報書き換え手段を具備していることを特徴とする請求項１ないし請求項５のいずれか１項記載の紙製容器リサイクルシステムとしたものである。
【００１４】
また請求項７の発明では、
前記回収装置は、前記解析された識別情報から紙製容器の基材情報を確認する紙製容器基材情報確認手段と、
前記紙製容器基材情報確認手段により確認された基材情報に従って前記紙製容器の分別を行う分別手段とを具備していることを特徴とする請求項１ないし請求項６のいずれか１項に記載の紙製容器リサイクルシステムとしたものである。
【発明の効果】
【００１５】
本発明によれば、紙製容器のリサイクルの効率を向上させ、紙製容器の回収後の分別も容易に行える紙製容器リサイクルシステムを提供することができる。
【発明を実施するための最良の形態】
【００１６】
以下では。本発明の最良の一実施形態について図面を参照して説明する。
【００１７】
図２は、本発明の一実施形態を示すシステム構成図である。
【００１８】
Ｇは、リサイクルされる紙製容器の一例である。この紙製容器の形状は特定されることはなく、また、この紙製容器の基材は紙層を基材としていればよく、ガスバリヤーを必要とする場合はアルミ箔層を設けることもできる。
【００１９】
Ｈは２次元コードであり、紙製容器の内側に設けられている場合の、簡略図である。紙製容器の内側に２次元コードを設けるのは、２次元コードを読み取る場合には紙製容器を解体して洗浄することが必須であり、このような処理を購入者である消費者が行うことが紙製容器をリサイクルするために必要なためである。
【００２０】
Ａは携帯電話であり、Ｂは回収装置、Ｃは管理サーバ、Ｄは個人情報データベース、Ｅは個人情報記憶媒体、Ｆは識別情報データベースであり、以下具体的に図面を用いて説明を行う。
【００２１】
消費者は紙製容器を購入して充填されている内容物を飲んだり、使用して紙製容器を廃棄物とする。この際、この紙製容器を切り開いて洗浄し、紙製容器の内側にある２次元コードに対し、携帯電話Ａを用いて、図６のフローチャートに示すような処理を行う。
【００２２】
＜携帯電話Ａによる処理＞
まず、第一読み取り手段０１である携帯電話に備えられているカメラで２次元コードを読み取る（ステップ０１）。
【００２３】
次いで、第一読み取り手段０１により読み込んだ２次元コードに変換されている識別情報を第一解析手段０２で解析する（ステップ０２）。２次元コードに変換されている情報は、例えば、２次元コードが設けられている紙製容器を、個々の紙製容器ごとに特定する識別情報、或いは、個々の商品ごとに特定する識別番号、管理サーバＣのネットワークの位置を表す情報であるＵＲＬ、また、管理サーバＣのメールアドレス等である。
【００２４】
次いで、第一送信手段０３によりネットワークを介して管理サーバＣに第一解析手段４により２次元コードを解析した識別情報を送信する。また、この送信と同時に、管理サーバＣに個人特定情報を送信する（ステップ０３）。この個人特定情報は、例えば、会員ＩＤ等である。個人特定情報である会員ＩＤは、例えば、消費者を会員として登録する際に管理サーバＣから付与されるものであり、個人情報データベースＤに記憶されるものである。この個人会員ＩＤに紙製容器のリサイクルに参加した場合に付与されるポイントが組にされて記憶されている（図３参照）。この会員ＩＤは、上述したように管理サーバＣから付与される場合もあるし、個人が自分で設定する場合もあり、携帯電話Ａの電話番号、メールアドレス等を用いることができるものである。以後、個人特定情報は、会員ＩＤであるとして本発明の一実施形態を説明する。
【００２５】
上述の携帯電話Ａによる処理の後、消費者は、廃棄物とした紙製容器を開いて回収装置に挿入する。この際、図７のフローチャートに示すような回収装置Ｂによる処理がなされる。
【００２６】
＜回収装置Ｂによる処理＞
まず、第二読み取り手段１０である回収装置Ｂに備えられているカメラで２次元コードを読み取る（ステップ１０）。
【００２７】
次いで、第二読み取り手段１０により読み込んだ２次元コードに変換されている識別情報を第二解析手段１１で解析する（ステップ１１）。識別情報の内容は、上述した内容と同様である。
【００２８】
（１）回収装置Ｂで個人を特定しない場合
識別情報が、個々の紙製容器を特定する番号、すなわちシリアルナンバーである場合は、回収装置で個人を特定しなくても識別番号のみで個人を管理サーバＣで特定することができる。
【００２９】
この場合、第二解析手段１１により解析した識別情報を第二送信手段１２により、管理サーバＣにネットワークを介して送信する（ステップ１２）。
【００３０】
（２）回収装置Ｂで個人を特定する場合
識別番号が、個々の商品を特定する番号である場合（商品ごとに同じ番号が付与されている）は必ず回収装置Ｂで個人を特定する必要がある。
【００３１】
この場合、携帯電話Ａ又は情報記憶媒体Ｅ（図４参照）から個人特定情報を第三読み取
り手段１３で読み取る（ステップ１３）。この読み取り方法として、携帯電話Ａ又は情報記憶媒体Ｅから個人特定情報を、ＩＣや赤外線の無線で受取る仕方や、画面に表示されたり、印字等で設けられた情報（２次元コード・印字）を読み取る仕方が使用される。なお、回収装置Ｂの表面にキーボード等を設けて、キーボード等により直接入力するやり方も考えられる。
【００３２】
次いで、第三読み取り手段１３により読み取った個人特定情報を、第二解析手段で解析した識別情報とともに第三送信手段１４によりネットワークを介して管理サーバに送信する（ステップ１４）。情報記憶媒体Ｅは、磁気カード、ＩＣカード等を用いることができる。また、ＩＣカードとする場合は、携帯電話Ａに記憶されたＩＣカードを用いることもできる。
【００３３】
さらに、上述の（１）及び（２）の何れでも、上述したステップ１１の処理により解析した識別情報を元にして紙製容器の基材を紙製容器基材情報確認手段１６により特定する（ステップ１５）。紙製容器基材情報確認手段１６による確認は、回収装置Ｂに記憶された情報より特定することもでき、また、管理サーバＣから情報を入手して特定することもできるものである。
【００３４】
次いで、紙製容器の基材が特定できたら分別手段１７により分別して回収を行う（ステップ１６）。また、回収装置Ｂは、分別された紙製容器を粉砕する粉砕手段を備えておいてもかまわない。
【００３５】
＜管理サーバＣによる処理＞
以下の例では、本例では識別情報がシリアルナンバーであるか否かの場合が分かっているという前提で処理の流れを具体的に説明している。このように識別情報をシリアルナンバーである否かを管理サーバが識別情報データベースＦに記憶されている識別情報の種別（識別番号がシリアルナンバーか否か、登録されているか、不正に使用されていないか等）を確認して対応することができるのは、当然のことである。
【００３６】
（１）識別情報が、個々の紙製容器を特定する番号、すなわちシリアルナンバーである場合
まず、携帯電話Ａの第一送信手段０３から送信された識別情報及び個人特定情報である会員ＩＤを第一受信手段２０は受信する（ステップ２０１）。
【００３７】
次いで、携帯電話Ａから送信された個人特定情報である会員ＩＤを用いて、送信者が会員であるかどうかを、個人情報データベースＤに記憶している情報用いて確認する（ステップ２０２）。もし、個人情報データベースＤに会員ＩＤが記憶されていない場合は、再度、携帯電話Ａに会員ＩＤを問い合わせたり、会員でないと確認できた場合は、会員になるように促す手続を行うことができる。
【００３８】
次いで、第１情報記憶手段２１により識別情報を会員ＩＤと組にして個人情報データベースＤに記憶する（ステップ２０３）。
【００３９】
次いで、回収装置Ｂの第二送信手段１２から送信された識別情報を第二受信手段２２は受信する（ステップ２０４）。
【００４０】
次いで、回収装置Ｂから送信された識別番号が個人情報データベースＤに記憶されているかの確認を行う（ステップ２０５）。識別情報が個人情報データベースＤに記憶されていない場合は、処理は終了となり、個人情報が回収装置Ｂで確認されている場合は、その特定された個人に識別情報が記憶されていないことを通知する。
【００４１】
次いで、個人情報データベースＤに識別情報と組になって記憶されている会員ＩＤにポイントを付与（追加）する（ステップ２０６）。
【００４２】
上述のステップ２０５〜２０６の処理は、第一ポイント追加手段２３によりなされる。
【００４３】
なお、紙製容器毎に付与されるポイントを変えることができる。例えば、紙製容器に充填されている内容物が牛乳の場合に、１２５ｍｌには１ポイント、５００ｍｌには２ポイント、１０００ｍｌには３ポイントのように充填量毎にポイントを変えることができる。このように識別情報毎に付与されるポイントは、識別情報データベースＦに記憶されている（図５参照）。携帯電話Ａ及び回収装置Ｂから送信された識別情報の確認を個人情報データベースＤで行う前に、この識別情報データベースＦに記憶されているかを確認して、識別情報が正しいものであるかを確認することも可能である。次いで、会員ＩＤにポイントを与えた識別情報はシリアルナンバーであり、今後ポイントを与えることはできないので、再度、携帯電話Ａ、回収装置Ｂから前記識別情報から受信した場合には、不正に使用されているものであり、不正使用警告手段（図示せず）等により警告を発することもできる。
【００４４】
管理サーバＣは、携帯電話Ａから会員ＩＤに対応するポイントの確認要求を受けた場合には、第四送信手段２６により、その個人情報データベースＤから会員ＩＤに付与されているポイントを送信することができる。
【００４５】
上記処理ではセキュリティに関しての説明は行われていないが、セキュリティに関してはパスワード、電子認証等通常使用されている技術を用いればよいものとする。
【００４６】
（２）識別番号が商品を特定するものであり、同じ商品には同じ識別番号が付与されている場合
携帯電話Ａの第一送信手段０３から送信された識別情報及び個人特定情報である会員ＩＤを第一受信手段２０は受信する（ステップ３０１）。
【００４７】
次いで、携帯電話Ａから送信された個人特定情報である会員ＩＤを用いて、送信者が会員であるかどうかを、個人情報データベースＤに記憶している情報と用いて確認する（ステップ３０２）。もし、個人情報データベースＤに会員ＩＤが記憶されていない場合は、再度、携帯電話Ａに会員ＩＤを問い合わせたり、会員でないと確認できた場合は、会員になるように促す手続を行うことができる。
【００４８】
次いで、第１情報記憶手段２１により識別情報を会員ＩＤと組にして個人情報データベースＤに記憶する（ステップ３０３）。
【００４９】
次いで、回収装置Ｂの第三送信手段１４からから識別情報及び個人特定情報である会員ＩＤを第三受信手段２４は受信する（ステップ３０４）。
【００５０】
次いで、回収装置Ｂの第三送信手段１４から送信された識別番号及び個人特定情報である会員ＩＤが組で個人情報データベースＤに記憶されているかの確認を行う（ステップ３０５）。識別情報、会員ＩＤが組で個人情報データベースＤに記憶されていない場合は、処理は終了となり、個人情報が回収装置Ｂで確認されている場合は、その特定された個人に識別情報が記憶されていないことを通知する。
【００５１】
次いで、個人情報データベースＤに識別情報と組になって記憶されている会員ＩＤにポイントを付与（追加）する（ステップ３０６）。
【００５２】
上述の３０５〜３０６の処理は、第二ポイント追加手段２５によりなされる。
【００５３】
なお、紙製容器毎に付与されるポイントを変えることができる。例えば、紙製容器に充填されている内容物が牛乳の場合に、１２５ｍｌには１ポイント、５００ｍｌには２ポイント、１０００ｍｌには３ポイントのように充填量毎にポイントを変えることができる。このように識別情報毎に付与されるポイントは、識別情報データベースＦに記憶されている（図５参照）。携帯電話Ａ及び回収装置Ｂから送信された識別情報の確認を個人情報データベースＤで行う前に、この識別情報データベースＦに記憶されているかを確認して、識別情報が正しいものであるかを確認することも可能である。
【００５４】
管理サーバＣは、携帯電話Ａから会員ＩＤに対応するポイントの確認要求を受けた場合には、第四送信手段２６により、その個人情報データベースＤから会員ＩＤに付与されているポイントを送信することができる。また、管理サーバＣは回収装置Ｂに個人情報データベースＤに記憶されているポイントを送信して、回収装置Ｂの情報書き換え手段１５で個人情報記憶媒体Ｅ（図４参照）に記憶されているポイントを書き換えさせることもできる。上記処理ではセキュリティに関しての説明は行われていないが、セキュリティに関してはパスワード、電子認証等通常使用されている技術を用いればよいものとする。
【００５５】
なお、識別情報では商品の対象の特定は行えるが、商品毎（１つ１つ）の特定を行うことはできないので、商品を１つ購入した場合にポイントを得られる回数は１回であるが、商品を１つしか購入しない場合に複数のポイントを得ようとした不正を十分に防止できない可能性がある。そのため、一定数を超えるポイント取得を行おうとしたとして不正使用警告手段（図示せず）等により警告を発することもできる。
【００５６】
なお、識別情報がシリアルである場合も、この処理を行うことができるように設定することができるのは当然である。
【図面の簡単な説明】
【００５７】
【図１】従来から実施されている紙製容器をリサイクルするためのリサイクルシステムの概念図。
【図２】本発明の一実施形態を示すシステム構成図。
【図３】個人データベースのデータ構成を例示する図。
【図４】個人情報記憶媒体のデータ構成を例示する図。
【図５】識別データベースのデータ構成を例示する図。
【図６】携帯電話で行われる処理の流れを示すフローチャート。
【図７】回収装置で行われる処理の流れを示すフローチャート。
【図８】識別情報が個々の紙製容器を特定する番号である場合の管理サーバで行われる処理の流れを示すフローチャート。
【図９】識別情報が個々の商品を特定する番号である場合の管理サーバで行われる処理の流れを示すフローチャート。
【符号の説明】
【００５８】
Ａ・・・携帯電話
０１・・・第一読み取り手段
０２・・・第一解析手段
０３・・・第一送信手段
Ｂ・・・回収装置
１０・・・第二読み取り手段
１１・・・第二解析手段
１２・・・第二送信手段
１３・・・第三読み取り手段
１４・・・第三送信手段
１５・・・情報書き換え手段
１６・・・紙製容器基材情報確認手段
１７・・・分別手段
Ｃ・・・管理サーバ
２０・・・第一受信手段
２１・・・第一情報記憶手段
２２・・・第二受信手段
２３・・・第一ポイント追加手段
２４・・・第三受信手段
２５・・・第二ポイント追加手段
２６・・・第四送信手段
Ｄ・・・個人情報データベース
Ｅ・・・個人情報記憶媒体
Ｆ・・・識別情報データベース
【図１】
2008242943.tif 000003
【図２】
2008242943.tif 000004
【図３】
2008242943.tif 000005
【図４】
2008242943.tif 000006
【図５】
2008242943.tif 000007
【図６】
2008242943.tif 000008
【図７】
2008242943.tif 000009
【図８】
2008242943.tif 000010
【図９】
2008242943.tif 000011